(57)【要約】【課題】  上窓の下枠と下窓の上枠との間の室外側に隙間が開くことを確実に防止できる段窓の提供。【解決手段】  無目１と、上窓２と、下窓３とを備え、上窓の下枠４は、室外側端部に位置する室外側垂下壁７と、室外側垂下壁の室内側面から室内側に突設した延出部８とを有し、無目１は、長手方向端部に上窓の下枠４端面より側方に突出し上窓の縦枠９端面３２と対向する突出部１０を有すると共に、室外側先端部に設けた押え部１１と、室内外方向中間部の上面に設けた下枠係合部１２と、下枠係合部よりも室内側の上面に設けた下枠載置部１３と、下枠載置部よりも室内側の上面に設けた下枠ネジ止め部１４と、室内外方向中間部の下面に設けた上枠係合部１５と、上枠係合部よりも室内側の下面に設けた上枠被載置部１６と、上枠被載置部よりも室内側の下面に設けた上枠ネジ止め部１７とを有し、上窓の縦枠９端面３２で無目の下枠係合部よりも室外側の突出部１０上面を押圧すると共に無目の押え部１１で上窓の下枠の延出部８を押圧し、延出部８又は室外側垂下壁７を下窓の上枠上面６に押し付けている。【選択図】      図１
2006104794.tif 000002
【特許請求の範囲】
【請求項１】
無目と、上窓と、下窓とを備え、上窓の下枠は、室外側端部に位置する室外側垂下壁と、室外側垂下壁の室内側面から室内側に突設した延出部とを有し、無目は、長手方向端部に上窓の下枠端面より側方に突出し上窓の縦枠端面と対向する突出部を有すると共に、室外側先端部に設けた押え部と、室内外方向中間部の上面に設けた下枠係合部と、下枠係合部よりも室内側の上面に設けた下枠載置部と、下枠載置部よりも室内側の上面に設けた下枠ネジ止め部と、室内外方向中間部の下面に設けた上枠係合部と、上枠係合部よりも室内側の下面に設けた上枠被載置部と、上枠被載置部よりも室内側の下面に設けた上枠ネジ止め部とを有し、上窓の縦枠端面で無目の下枠係合部よりも室外側の突出部上面を押圧すると共に無目の押え部で上窓の下枠の延出部を押圧し、延出部又は室外側垂下壁を下窓の上枠上面に押し付けていることを特徴とする段窓。
【発明の詳細な説明】
【技術分野】
【０００１】
本発明は、上窓と下窓を無目で上下に連結した段窓に関する。
【背景技術】
【０００２】
上窓と下窓を無目で上下に連結した段窓は、特許文献１等に開示されているように公知である。このような段窓において無目は、上窓の下枠と下窓の上枠との間に挟まれる室内外方向に延びる部分と、その室内側端部より上下方向に延びる部分とを有しており、室内外方向に延びる部分の室内外方向の中間部に係合部を上下に突出して設け、係合部に上窓の下枠と下窓の上枠をそれぞれ係合すると共に、室内側の上下方向に延びる部分の上下端部にネジ止め部を設け、ネジ止め部に上窓の下枠と下窓の上枠をそれぞれネジ止めして、上窓の下枠と下窓の上枠とを連結している。無目は、特許文献２に記載されているように、複数の部材で構成することもある。
【０００３】
上窓の下枠と下窓の上枠とは、室内側を無目にネジ止めして連結してあるが、室外側はネジ止めしていないので、室外側に隙間が開くことがある。これを防止するため、特許文献１，２記載のものでは、上窓の下枠の室外側垂下壁の下部に延出部を室内向きに突設し、無目の室外側先端部に設けた押え部で延出部を押えることで、室外側に隙間が開くのを防いでいる。しかし、そのように上窓下枠の延出部を無目の押え部で押えていても、無目の室外側部分は片持ち状となっていて変形しやすい。段窓の場合、工場で予め組立ててから建築現場に搬入されることもあり、トラックへの積込み・積み下ろしの際や輸送中などに振動等の外力が窓に加わることがあり、これにより無目の室外側部分が変形して押え部が浮き上がり、室外側に隙間が開いてしまうという問題がある。
【特許文献１】特開昭６２−１８９２８９号公報
【特許文献２】特開平１０−８８３２号公報
【発明の開示】
【発明が解決しようとする課題】
【０００４】
本発明は以上に述べた実情に鑑みてなされたものであって、上窓の下枠と下窓の上枠との間の室外側に隙間が開くことを確実に防止できる段窓の提供を目的とする。
【課題を解決するための手段】
【０００５】
上記の課題を達成するために本発明の段窓は、無目と、上窓と、下窓とを備え、上窓の下枠は、室外側端部に位置する室外側垂下壁と、室外側垂下壁の室内側面から室内側に突設した延出部とを有し、無目は、長手方向端部に上窓の下枠端面より側方に突出し上窓の縦枠端面と対向する突出部を有すると共に、室外側先端部に設けた押え部と、室内外方向中間部の上面に設けた下枠係合部と、下枠係合部よりも室内側の上面に設けた下枠載置部と、下枠載置部よりも室内側の上面に設けた下枠ネジ止め部と、室内外方向中間部の下面に設けた上枠係合部と、上枠係合部よりも室内側の下面に設けた上枠被載置部と、上枠被載置部よりも室内側の下面に設けた上枠ネジ止め部とを有し、上窓の縦枠端面で無目の下枠係合部よりも室外側の突出部上面を押圧すると共に無目の押え部で上窓の下枠の延出部を押圧し、延出部又は室外側垂下壁を下窓の上枠上面に押し付けていることを特徴とする。
【発明の効果】
【０００６】
本発明の段窓は、無目の長手方向端部に上窓の下枠端面より側方に突出し上窓の縦枠端面と対向する突出部を有し、上窓の縦枠端面で無目の下枠係合部よりも室外側の突出部上面を押圧していることで、無目の室外側部分が変形して押え部が浮き上がることを防止でき、且つ押え部が上窓の下枠の室外側垂下壁の室内側面から室内側に突設した延出部を押圧し、延出部又は室外側垂下壁を下窓の上枠上面に押し付けているので、上窓の下枠と下窓の上枠との間の室外側に隙間が開くことを確実に防止できる。
【発明を実施するための最良の形態】
【０００７】
以下、本発明の実施の形態を図面に基づいて説明する。図１から図４は本発明の段窓の一実施形態を示している。この段窓は、図４に示すように、上窓２と下窓３と無目１とを有し、上窓の下枠４と下窓の上枠５を無目１で連結して構成してある。上窓２は、上枠１８と左右の縦枠９，９と下枠４とを四方枠組みしたサッシ枠にガラス１９を嵌め込んだ嵌殺し窓となっている。下窓３は、上枠５と左右の縦枠２０，２０と下枠２１とを四方枠組みしてサッシ枠を構成し、上枠下枠５，２１間に左右二枚の障子２２，２２を開閉自在に支持した両たてすべり出し窓となっている。以下、上窓の下枠４と下窓の上枠５と無目１の構造について詳しく説明する。
【０００８】
上窓の下枠４は、図２に示すように、室外側端部に下窓の上枠５の上面６と対向する室外側垂下壁７を有し、室外側垂下壁７の室内側面の下端部から延出部８が室内側に突設してあり、延出部８が上枠上面６に載置されている。下枠４の室内外方向中間位置には、係合突部２３を室内側に向けて突設してある。下枠４の室内側には室内側垂下壁２４を有し、室内側垂下壁２４の上端部より被ネジ止め部２５を室内向きに突設してある。下窓の上枠５は、室内外方向の中間部に係合突部２６を室内側に向けて突設してあり、室内側に立ち上がり部２７を有し、立ち上がり部２７の下端部より室内側に連続して被ネジ止め部２８を室内向きに突設してある。上枠５の室外側壁３７は、上窓下枠４の室外側垂下壁７と同一面上に位置しており、上窓の下枠４と下窓の上枠５の室外側面は段差のないフラットな面で連続している。
【０００９】
無目１は、図２に示すように、室内外方向に延びる横壁部２９と、その室内側端部より上下方向に延びる縦壁部３０とで断面略Ｔ字状に形成されており、横壁部２９の室外側先端部に押え部１１を有し、横壁部２９の室内外方向中間部には、上面側に上窓の下枠４の係合突部２３が係合する下枠係合部１２を、下面側に下窓の上枠５の係合突部２６が係合する上枠係合部１５を、室外側に向けてそれぞれ形成してある。横壁部２９は、室内外方向中間部で階段状に形成して室内側横壁部２９ａを室外側横壁部２９ｂよりも高くしてあり、下枠係合部１２よりも室内側の室内側横壁部２９ａの上面には、下枠の室内側垂下壁２４の下端が載置される下枠載置部１３を設けてあり、上枠係合部１５よりも室内側の室内側横壁部２９ａ下面には、上枠の立ち上がり部２７の上端に載置される上枠被載置部１６を設けてある。縦壁部３０は、上端部に下枠ネジ止め部１４を、下端部に上枠ネジ止め部１７を、それぞれ室外側に向けて設けてあり、下枠ネジ止め部１４に下枠の被ネジ止め部２５を、上枠ネジ止め部１７に上枠の被ネジ止め部２８を、ネジ３１でそれぞれネジ止めしてある。下枠ネジ止め部１４は下枠載置部１３よりも室内側の上面に位置しており、上枠ネジ止め部１７は上枠被載置部１６よりも室内側の下面に位置している。無目の室外側横壁部２９ｂは上枠の上面６に載置されており、押え部１１が下枠の室外側垂下壁７に設けた延出部８を押圧し、延出部８は上枠上面６に押し付けられている。
【００１０】
さらに無目１は、図３に示すように、長手方向端部に上窓の下枠４端面より側方に突出する突出部１０を設けてあり、突出部１０は上窓の縦枠９の下端面３２と対向しており、図１に示すように、下枠係合部１２よりも室外側の位置で縦枠９の下端面３２が突出部１０の上面を押圧している。このように上窓の縦枠９の下端面３２が、下枠係合部１２よりも室外側の位置で無目１の突出部１０上面を押圧していることで、図１中の矢印ａで示すように、上窓の下枠４と下窓の上枠５の間の室外側が広がるように段窓に外力が加わっても、無目１の室外側横壁部２９ｂが上向きに曲がって押え部１１が浮き上がることを防止でき、上窓下枠４の延出部８が下窓の上枠５の上面６に押し付けられた状態を維持し、上窓の下枠４と下窓の上枠５間の室外側に隙間が開くことがない。
【００１１】
この段窓は、通常は工場で組立ててから建築現場へと搬入される。段窓を組立てる際の手順は、まず上窓２と下窓３を別々に組立て、上窓の下枠４と下窓の上枠５の間に無目１を室内側から差し込み、下枠と上枠の係合突部２３，２６を無目１の下枠係合部１２と上枠係合部１５にそれぞれ係合させ、無目１の各ネジ止め部１４，１７に下枠４と上枠５の被ネジ止め部２５，２８をネジ止めして互いに連結する。なお、上窓２と下窓３と無目１とに分かれた状態で建築現場に搬入し、建物の窓開口部に下窓３、無目１、上窓２を順次取付けることもできる。
【００１２】
図５と図６は、上窓の縦枠９と下窓の縦枠２０の境目に形成された隙間３３を、側方から略アングル形状のカバー材３４を取り付けて塞いだ状態を示している。図中の符号３６は、カバー材３４を無目１に止めているビスである。このようにカバー材３４を取付ければ、上下の縦枠間の隙間３３から風雨が室内側に侵入することを阻止できる。カバー材３４は、裏面側全面にゴム状部３５を設けてあり、縦枠の外側面から無目の突出部１０が突出していても、カバー材３４と縦枠９，２０の間に隙間が開かない。
【００１３】
延出部８は、図７（ａ）に示すように、室外側垂下壁７の室内側面の下端部より少し上がった位置に室内側に向けて突設し、無目１の押え部１１で延出部８を押圧し、室外側垂下壁７の下端部を下窓の上枠上面６に押し付けるようにしてもよい。また図７（ｂ）に示すように、室外側垂下壁７の下部を斜めに面取りしたような形に形成すると共にその先端部に延出部８を室内側に向けて突設し、その延出部８を無目１の押え部１１で押圧し、延出部８を下窓の上枠上面６に押し付けてもよい。
【００１４】
本発明は以上に述べた実施形態に限定されない。上窓と下窓は、嵌殺し窓とたてすべり出し窓の組み合わせに限らず、引き違い窓や回転窓、上げ下げ窓等、任意の形態の窓を上下に自由に組合わせて段窓を構成できる。上窓と下窓は、窓枠を構成する各枠材をアルミ形材と樹脂材を連結したもので構成したいわゆる断熱サッシとすることもでき、その場合に無目は、アルミで形成した室内側部材と室外側部材を樹脂で連結するなどして、室内側を室外側から断熱したものにするのが好ましい。無目は、一体で形成したものに限らず、室内外方向に分割形成した複数の部材を連結して構成したものであってもよい。また、無目の断面形状は、実施形態のものに限定されるものではなく、下枠及び上枠係合部、下枠載置部、上枠被載置部、下枠及び上枠ネジ止め部の形状は、適宜変更可能である。
【図面の簡単な説明】
【００１５】
【図１】上窓の縦枠と下窓の縦枠の境目部分を拡大して示す段窓の側面図である。
【図２】図４におけるＡ−Ａ断面図である。
【図３】図４におけるＢ−Ｂ断面図である。
【図４】本発明の段窓の一実施形態を示す室外側正面図である。
【図５】上窓の縦枠と下窓の縦枠の境目部分にカバー材を取り付けた状態を示す段窓の側面図である。
【図６】上窓の縦枠と下窓の縦枠の境目部分にカバー材を取り付けた場合における、図４のＢ−Ｂでの横断面図である。
【図７（ａ）（ｂ）】本発明の段窓の他の実施形態を示す上窓の下枠と下窓の上枠との連結部分の室外側の縦断面図である。
【符号の説明】
【００１６】
１  無目
２  上窓
３  下窓
４  上窓の下枠
５  下窓の上枠
６  下窓の上枠の上面
７  室外側垂下壁
８  延出部
９  上窓の縦枠
１０  突出部
１１  押え部
１２  下枠係合部
１３  下枠載置部
１４  下枠ネジ止め部
１５  上枠係合部
１６  上枠被載置部
１７  上枠ネジ止め部
３２  上枠の縦枠の端面
【図１】
2006104794.tif 000003
【図２】
2006104794.tif 000004
【図３】
2006104794.tif 000005
【図４】
2006104794.tif 000006
【図５】
2006104794.tif 000007
【図６】
2006104794.tif 000008
【図７（ａ）（ｂ）】
2006104794.tif 000009